(57)【要約】【課題】防滴性能に優れた表示灯を提供する。【解決手段】本発明に係る表示灯１は、有底枠体からなり枠の外周部に第１ねじ部３ａが形成された本体３と、縁部内周面に第１ねじ部３ａに螺合する第２ねじ部５ａが形成され、第２ねじ部５ａを第１ねじ部３ａに螺合することで本体３に着脱可能に取り付けられるグローブ５とを有し、本体３の底部３ｂは透光部材からなり、底部３ｂの背面側に発光素子１９を有する基板７を取り付ける基板取付部としての柱状体９が設けたことを特徴とするものである。【選択図】  図１
2015056205.tif 000002
【特許請求の範囲】
【請求項１】
有底枠体からなり枠の周部に第１ねじ部が形成された本体と、
縁部周面に前記第１ねじ部に螺合する第２ねじ部が形成され、該第２ねじ部を前記第１ねじ部に螺合することで前記本体に着脱可能に取り付けられるグローブとを有し、
前記本体の底部は透光部材からなり、該底部の背面側に発光素子を有する基板を取り付ける基板取付部を設けたことを特徴とする表示灯。
【請求項２】
前記第１ねじ部は前記本体の外周部に形成され、前記第２ねじは前記グローブの縁部内周面に形成されていることを特徴とする請求項１記載の表示灯。
【請求項３】
前記底部の背面側に、前記基板取付部を囲う筒状部を設けたことを特徴とする請求項１又は２に記載の表示灯。
【請求項４】
前記グローブを取り付けた状態で、前記グローブの縁部端面と前記本体の前記底部における背面とが面一になるように設定されていることを特徴とする請求項１乃至３のいずれか一項に記載の表示灯。
【請求項５】
前記底部の背面側には、該背面側に突出する端子台が形成され、前記基板には前記端子台が挿通可能な開口部が設けられていることを特徴とする請求項１乃至４のいずれか一項に記載の表示灯。
【請求項６】
前記基板取付部は、前記底部から背面側に立設し前記基板を支持する柱状体からなることを特徴とする請求項１乃至５のいずれか一項に記載の表示灯。
【請求項７】
前記柱状体には複数の段部が形成されており、前記基板には前記柱状体のいずれかの段部より先端が挿入される穴が設けられていることを特徴とする請求項６記載の表示灯。
【発明の詳細な説明】
【技術分野】
【０００１】
本発明は、発信機が設置される消火栓や総合盤等の機器収納箱に設置されて赤色に点灯することでこれらの機器の存在を表示する表示灯に関する。
【背景技術】
【０００２】
例えば、特許文献１に記載された防災機器用表示灯は、「前面に開口し内部に光源を内蔵した本体と、前記本体の開口部に着脱自在に装着された透光性のグローブとから構成される防災機器用表示灯において、前記グローブの本体から露出するグローブ面正面を単一のアール曲面とし、更にグローブ内面に外向きに開いた楔形断面をもつリング溝を中心から外側に向けて多重に形成したことを特徴とする」ものである（特許文献１の請求項１参照）。
【０００３】
特許文献１の防災機器用表示灯は、本体前部に形成した鍔部にリング状の嵌合溝を形成し、該嵌合溝にパッキンを設置すると共に、該嵌合溝にグローブの周端部をねじ込むことにより、グローブを本体に着脱可能に取り付けている。
そして、グローブの内面側と本体内部とは連通した空間を形成し、該空間内に基板やＬＥＤ等の電気部品が収納されている。
【先行技術文献】
【特許文献】
【０００４】
【特許文献１】特許第４５３５３６０号公報
【発明の概要】
【発明が解決しようとする課題】
【０００５】
表示灯のグローブは外部からの視認性を高めるため、壁面から突出する形状になっており、それ故に外力が作用しやすく破損する危険がある。そのため、特許文献１の防災機器用表示灯のように、グローブを本体に対して着脱可能にして破損時に交換が容易にできるようにしている。しかしながら、着脱可能にすることで、グローブの本体に対する取付部から雨水の浸入する可能性があり、これを防止するため、特許文献１ではパッキンを設置する構造としている。
【０００６】
しかしながら、パッキンによる防滴構造では、必ずしも確実に雨水の浸入を防止できるとは限らない。そして、グローブの内面側と本体内部とは連通した空間となっているので、雨水が浸入すると、本体内部に設置されている基板等の電気部品に障害が発生する虞がある。
【０００７】
本発明はかかる課題を解決するためになされたものであり、防滴性能に優れた表示灯を提供することを目的としている。
【課題を解決するための手段】
【０００８】
（１）本発明に係る表示灯は、有底枠体からなり枠の周部に第１ねじ部が形成された本体と、
縁部周面に前記第１ねじ部に螺合する第２ねじ部が形成され、該第２ねじ部を前記第１ねじ部に螺合することで前記本体に着脱可能に取り付けられるグローブとを有し、
前記本体の底部は透光部材からなり、該底部の背面側に発光素子を有する基板を取り付ける基板取付部を設けたことを特徴とするものである。
【０００９】
（２）また、上記（１）に記載のものにおいて、前記第１ねじ部は前記本体の外周部に形成され、前記第２ねじは前記グローブの縁部内周面に形成されていることを特徴とするものである。
【００１０】
（３）また、上記（１）又は（２）に記載のものにおいて、前記底部の背面側に、前記基板取付部を囲う筒状部を設けたことを特徴とするものである。
【００１１】
（４）また、上記（１）乃至（３）のいずれかに記載のものにおいて、前記グローブを取り付けた状態で、前記グローブの縁部端面と前記本体の前記底部における背面とが面一になるように設定されていることを特徴とするものである。
【００１２】
（５）また、上記（１）乃至（４）のいずれかに記載のものにおいて、前記底部の背面側には、該背面側に突出する端子台が形成され、前記基板には前記端子台が挿通可能な開口部が設けられていることを特徴とするものである。
【００１３】
（６）また、上記（１）乃至（５）のいずれかに記載のものにおいて、前記基板取付部は、前記底部から背面側に立設し前記基板を支持する柱状体からなることを特徴とするものである。
【００１４】
（７）また、上記（６）に記載のものにおいて、前記柱状体には複数の段部が形成されており、前記基板には前記柱状体のいずれかの段部より先端が挿入される穴が設けられていることを特徴とするものである。
【発明の効果】
【００１５】
本発明においては、有底枠体からなり枠の周部に第１ねじ部が形成された本体と、縁部周面に前記第１ねじ部に螺合する第２ねじ部が形成され、該第２ねじ部を前記第１ねじ部に螺合することで前記本体に着脱可能に取り付けられるグローブとを有し、
前記本体の底部は透光部材からなり、該底部の背面側に発光素子を有する基板を取り付ける基板取付部を設けたことにより、基板は本体の底部の背面側に配置されることになり、雨水等によって基板が濡れる可能性が極めて少なく、防滴性能に優れている。
【図面の簡単な説明】
【００１６】
【図１】本発明の一実施の形態に係る表示灯の斜視図である。
【図２】本発明の一実施の形態に係る表示灯の分解斜視図である。
【図３】本発明の一実施の形態に係る表示灯の本体の背面側の構造の説明図である。
【図４】本発明の一実施の形態に係る表示灯の設置状態における断面図である。
【図５】本発明の一実施の形態に係る表示灯のグローブの内面の説明図である。
【図６】本発明の一実施の形態に係る表示灯の本体とグローブの螺合部の説明図であって、他の表示灯の螺合部と比較したものである。
【発明を実施するための形態】
【００１７】
本発明の一実施の形態に係る表示灯１は、図１および図２に示す通り、有底枠体からなる本体３と、本体３に着脱可能に取り付けられるグローブ５とを有している。
以下、本体３、本体３に取り付けられる基板７、基板７の取付構造、グローブ５について詳細に説明する。
【００１８】
＜本体＞
本体３は、赤色の透光部材で構成されている。本体３の枠の外周部に第１ねじ部３ａが形成されている。
第１ねじ部３ａに、グローブ５の縁部内周面に形成された第２ねじ部５ａを螺合することで、本体３にグローブ５を着脱可能に取り付け可能になっている。グローブ５の詳細については後述する。
本体３の底部３ｂの中央部には、図２および図４に示す通り、前面側に突出する扁平な円錐台形状の突出部３ｄが形成されている。
突出部３ｄの背面側には、図３および図４に示す通り、背面側に突出する端子台１１が形成されている。端子台１１における両側には矩形状に凹陥する端子取付部１１ａが形成されている。
端子取付部１１ａには、端子金具１３ａと端子ネジ１３ｂからなる端子１３（図２および図４参照）が取り付けられる。
【００１９】
端子台１１の両側には、基板７（図２参照）を取り付けるための基板取付部としての柱状体９が立設されている。
柱状体９の先端から基部側に少し下がった位置には、図３中の点線の丸で囲んだ部分の拡大図に示す通り、拡径する段部９ａが形成されている。段部９ａは、後述するように基板７の取付に際して位置決めとして機能する。
突出部３ｄの背面側には、端子台１１及び柱状体９を囲むように、筒状部３ｃが形成されている。
底部３ｂにおける突出部３ｄよりも外周部には、本体３を壁に取り付ける取付ネジ２６（図４参照）を挿通するネジ挿通孔３ｅが形成されている。
【００２０】
＜基板＞
基板７は、図２および図３に示す通り、円形板からなり、白色に発光する発光素子１９が、リング状に複数設置されている。なお、基板７における発光素子１９が取り付けられる面は、図２に示すように、基板７の取付状態において本体３の底面３ｂ側となる面である。
基板７の中央には、本体３の端子台１１が挿通可能な矩形状の開口部７ａが設けられている。
基板７の開口部７ａを挟む両側には、柱状体９の先端が挿入される穴７ｂが設けられている。穴７ｂの径は、柱状体９の先端の径より大きく、柱状体９の段部９ａの径よりも小さく設定されおり、柱状体９における段部９ａよりも先端側のみが挿入可能になっている。これによって、柱状体９の軸方向における基板７の取り付け位置が規制される。
【００２１】
＜基板の取付構造＞
基板７は、発光素子１９を前面側にして（図２参照）、図４に示すように、本体３に対して背面側から挿入される。具体的には、開口部７ａに端子台１１を挿通し、穴７ｂを柱状体９の先端部に挿入することで、基板７は柱状体９に取り付けられる。そして、柱状体９に基板７が挿通された後、柱状体９の先端を加熱して、柱状体９と基板３とを熱溶着する。
このように、基板７は本体３の底部３ｂの背面側に取り付けられるため、仮に、本体３とグローブ５とで形成される内部空間８に水滴が浸入したとしても基板７に影響がなく、防滴性に優れている。
また、基板７は柱状体９に支持されており、底部３ｂから離れて取り付けられるため、仮に底部３ｂの背面側に水滴が浸入しても、底部３ｂから基板７に伝わることがない。
なお、上述したように本体３は透光部材で構成されているため、発光素子１９からの光は、本体３の底部３ｂを透過可能になっている。
【００２２】
端子台１１には、図４に示すように、端子金具１３ａが設置され、端子金具１３ａに端子ネジ１３ｂが取り付けられる。このように、端子台１１を基板７に設けるのではなく、本体３側に設けたことにより、端子ネジ１３ｂを取り付ける際に基板７に応力が作用せず、端子ネジ１３ｂの締め付け力の加減をする必要がなく、施工性に優れている。
なお、端子台１１の端子金具１３ａと基板７のパターンとは電気的に接続されており、例えば、図示しないリード線で接続されている。また、端子金具の形状を変えることで、端子金具と基板７のパターンとを直接、電気的に接続することもできる。
【００２３】
＜グローブ＞
グローブ５は、図４および図５に示すように凸形のアール曲面からなり、赤色の透光部材で構成されている。
グローブ５の縁部内周面には本体３の第１ねじ部３ａに螺合する第２ねじ部５ａが形成されており、グローブ５は第２ねじ部５ａが第１ねじ部３ａに螺合することで、本体３に着脱可能に取り付けられる。
このように、表示灯１は、本体３の外周側に第１ねじ部３ａを形成したいわゆる外ねじ式になっている。
【００２４】
図６は、外ねじ式と内ねじ式を比較するための図であり、図６（ａ）が外ねじ式を示し、図６（ｂ）が内ねじ式を示している。内ねじ式とは、本体２３の枠の内周部に設けられた第１ねじ部２３ａと、グローブ２５縁部外周面に設けられた第２ねじ部２５ａによって、本体２３の内側にグローブ２５が螺合する形式をいう。
なお、図６（ａ）は、図４中において点線の丸で囲んだ部分に相当する。
【００２５】
壁面と本体間、並びに、本体とグローブ間にパッキンの設置が必要な内ねじ式と比べて、本実施の形態は外ねじ式にしたことで、パッキン１７の設置が壁面との境界のみでよく、設置が容易であるという効果が得られている（図４参照）。
また、外ねじ式にすることで、小型化を実現できるという効果も奏する。この点を以下に説明する。
【００２６】
図６（ａ）の表示灯１および図６（ｂ）の表示灯２１において、螺合部の幅をＷとする。
また、本体３と本体２３のそれぞれの底部板厚はｔで同一であるとし、グローブ５とグローブ２５のそれぞれにおいて、突出高さも同一であるとする。
【００２７】
内ねじ式では、図６（ｂ）から分かるように、底部板厚ｔの分だけ製品が厚くなるが、外ねじ式では、図６（ａ）に示すように、グローブ５の縁部端面５ｂと本体３の底部３ｂの背面とが面一になるまでねじ込むことができるため、底部板厚ｔが表示灯１の製品厚さに影響することはない。
このように、外ねじ式の場合、内ねじ式の場合より底部板厚ｔの分だけ、製品厚さを薄くできる。
【００２８】
また、内ねじ式では、仮にグローブ２５に物がぶつかるなどの衝撃が作用すると、グローブ２５が内側に撓んで螺合部が外れる恐れがある。これに対して、外ねじ式では、グローブ５が外力を受けても本体３で支えることができるためグローブ５が内側に撓みにくく、撓んだとしても外れにくいという効果も奏している。
【００２９】
次に上記のように構成された本実施の形態の表示灯１の壁面への取付構造を説明する。
なお、設置穴１５ａからは電源用の電線が延び出しており、この電線の先端が端子１３に予め接続されているものとして説明する。
図４に示すように、本体３の背面側と壁１５との間にパッキン１７を配置し、壁１５に設けられた設置穴１５ａに本体３の筒状部３ｃを挿入する。この状態で、取付ネジ２６を本体３のネジ挿通孔３ｅに正面側から挿通し、さらに壁１５にねじ込むことで本体３を壁１５に取り付ける。
その後、グローブ５を本体３に取り付ける。
【００３０】
表示灯１の設置状態における作用効果を以下に説明する。
設置状態においては、図４に示すように、グローブ５の縁部端面５ｂと本体３の底部３ｂの背面とが面一になるように設定されているため、パッキン１７によって、内部空間８および壁裏空間１６という２つの空間に水が浸入するのを防止することができる。このように、１つのパッキン１７によって２つの空間への水の浸入を防止することができるため、部品数を低減させることができ、コストダウンにつながる。
【００３１】
また、基板７は本体３の底部３ｂの背面側の柱状体９に取り付けられているため、仮に内部空間８内に水が浸入したとしても、基板７にはなんら影響がなく、防滴性に優れている。
また、仮に、壁裏空間１６に水が浸入したとしても、基板７や端子台１１は筒状部３ｃによって囲まれているため、基板７等が濡れることはない。
なお、端子台１１は本体３の底部３ｂの背面側に形成され、かつ基板７の開口部７ａに端子台１１が挿通されているので、基板７に端子台を取り付ける場合に比較して、端子台１１が基板７の後方に大きく出っ張ることがない。それ故、筒状部３ｃは短くても防滴性を確保でき、このことが本体３のより一層の小型化を実現している。
【００３２】
なお、上記の説明では、柱状体９の段部９ａは単段であったが、多段にしてもよい。この場合、基板７の穴７ｂの大きさを変えることで、基板の設置位置を容易に変更することができる。例えば、基板７の種類毎に発光素子１９の位置や強さが異なり、最適位置を変える必要がある場合においても、穴７ｂの大きさを変えるだけで、基板７を簡単に最適位置に設置でき、組立が簡易である。
また、上記の説明では、本体３及びグローブ５は赤色の透光部材で構成されていると説明したが、赤色に限られず、例えば無色透明や青色の透光部材でも良い。
さらに、表示灯を赤色に発光させたい場合には、上記説明の通り、本体３及びグローブ５を赤色の透光部材で構成し、発光素子１９を白色のＬＥＤで構成しても良いが、本体３及びグローブ５を無色透明の透光部材で構成し、発光素子１９を赤色のＬＥＤで構成しても良い。
また、上記の説明では、表示灯１１は外ねじ式で構成されているものとして説明したが、本発明は外ねじ式だけに限定されず、内ねじ式にも本発明は適用可能である。すなわち、内ねじ式の表示灯であっても、本発明に適用すれば防滴性に優れる。
【符号の説明】
【００３３】
１  表示灯
３  本体
３ａ  第１ねじ部
３ｂ  底部
３ｃ  筒状部
３ｄ  突出部
３ｅ  ネジ挿通孔
５  グローブ
５ａ  第２ねじ部
７  基板
７ａ  開口部
７ｂ  穴
８  内部空間
９  柱状体
９ａ  段部
１１  端子台
１１ａ  端子取付部
１３  端子
１３ａ  端子金具
１３ｂ  端子ネジ
１５  壁
１５ａ  設置穴
１６  壁裏空間
１７  パッキン
１９  発光素子
２１  表示灯（比較例）
２３  本体
２３ａ  第１ねじ部
２５  グローブ
２５ａ  第２ねじ部
２６  取付ネジ
【図１】
2015056205.tif 000003
【図２】
2015056205.tif 000004
【図３】
2015056205.tif 000005
【図４】
2015056205.tif 000006
【図５】
2015056205.tif 000007
【図６】
2015056205.tif 000008